【手続補正書】
【提出日】平成16年6月9日(2004.6.9)
【手続補正１】
【補正対象書類名】明細書
【補正対象項目名】特許請求の範囲
【補正方法】変更
【補正の内容】
【特許請求の範囲】
【請求項１】
インクジェット記録装置で用いる記録ヘッドの吸引回復を制御する吸引回復制御方法であって、
所定記録動作間隔における記録時間を計測する第１計測工程と、
前記所定記録動作間隔において前記記録ヘッドからインク吐出を生じさせて記録がなされる記録ドット数を計測する第２計測工程と、
前記第１及び第２計測工程において夫々計測された記録時間と記録ドット数とに基づいて、単位時間当たりの記録ドット数を算出する算出工程と、
前記算出工程において算出された単位時間当たりの記録ドット数に基づいて、前記吸引回復のタイミングを決定する決定工程と、
前記決定工程において決定されたタイミングで前記記録ヘッドの吸引回復を行うよう制御する制御工程とを有することを特徴とする吸引回復制御方法。
【請求項２】
前記決定工程は、
前記算出された単位時間当たりの記録ドット数に基づいて、前記計測された記録ドット数を補正する補正工程と、
記録媒体１頁分の記録が終了する度毎に、前記補正工程において補正された記録ドット数と所定の閾値を比較する第１比較工程と、
前記第１比較工程における比較結果に従って、前記吸引回復を行うタイミングであるかどうかを判断する判断工程とを含むことを特徴とする請求項１に記載の吸引回復制御方法。
【請求項３】
前記インクジェット記録装置に初めて電源が投入されてからの累積時間を計測する第３計測工程をさらに有することを特徴とする請求項２に記載の吸引回復制御方法。
【請求項４】
前記決定工程は前記記録媒体１頁分の記録が終了する度毎に、前記累積時間と所定の閾値を比較する第２比較工程をさらに含み、
前記判断工程は、さらに、前記第２比較工程における比較結果に従って、前記吸引回復のタイミングを決定することを特徴とする請求項３に記載の吸引回復制御方法。
【請求項５】
前記所定記録動作間隔は、記録媒体１頁分の記録動作間隔或いは前記記録ヘッド１走査分の記録動作間隔であることを特徴とする請求項１に記載の吸引回復制御方法。
【請求項６】
前記第１比較工程において用いる所定の閾値は、前記記録ヘッドからのインク吐出不良が発生する時点における記録ドット数を予め実験的に求めることによって得られることを特徴とする請求項２に記載の吸引回復制御方法。
【請求項７】
前記第２比較工程において用いる所定の閾値は、前記記録ヘッドからのインク吐出不良が発生する時点における記録ドット数を予め実験的に求めることによって得られることを特徴とする請求項４に記載の吸引回復制御方法。
【請求項８】
前記判断工程は、前記第１比較工程が前記補正工程において補正された記録ドット数が前記所定の閾値を超えたことを認識したタイミングと、前記第２の比較工程が前記累積時間が前記所定の閾値を超えたことを認識したタイミングのいずれか早い方のタイミングを前記吸引回復のタイミングとすることを特徴とする請求項４に記載の吸引回復制御方法。
【請求項９】
インクジェット記録装置で用いる記録ヘッドの吸引回復を制御する吸引回復制御方法であって、
所定記録領域毎に前記記録ヘッドからインク吐出を生じさせて記録がなされる記録ドット数を計測する第１計測工程と、
前記第１計測工程において計測された記録ドット数と前記所定記録領域に記録可能な総ドット数とに基づいて、単位記録領域当たりの記録ドット数を算出する算出工程と、
前記算出工程において算出された単位記録領域当たりの記録ドット数に基づいて、前記吸引回復のタイミングを決定する決定工程と、
前記決定工程において決定されたタイミングで前記記録ヘッドの吸引回復を行うよう制御する制御工程とを有することを特徴とする吸引回復制御方法。
【請求項１０】
前記決定工程は、
前記算出された単位記録領域当たりの記録ドット数に基づいて、前記計測された記録ドット数を補正する補正工程と、
前記所定記録領域への記録が終了する度毎に、前記補正工程において補正された記録ドット数と所定の閾値を比較する第１比較工程と、
前記第１比較工程における比較結果に従って、前記吸引回復を行うタイミングであるかどうかを判断する判断工程とを含むことを特徴とする請求項９に記載の吸引回復制御方法。
【請求項１１】
前記インクジェット記録装置に初めて電源が投入されてからの累積時間を計測する第２計測工程をさらに有することを特徴とする請求項１０に記載の吸引回復制御方法。
【請求項１２】
前記決定工程は前記所定記録領域への記録が終了する度毎に、前記累積時間と所定の閾値を比較する第２比較工程をさらに含み、
前記判断工程は、さらに、前記第２比較工程における比較結果に従って、前記吸引回復のタイミングを決定することを特徴とする請求項１０に記載の吸引回復制御方法。
【請求項１３】
前記所定記録領域は、前記記録ヘッド１走査によって記録がなされる領域であることを特徴とする請求項９に記載の吸引回復制御方法。
【請求項１４】
インクジェット記録ヘッドを用いて記録媒体に記録を行う記録装置であって、
前記インクジェット記録ヘッドの吸引回復を行う吸引回復手段と、
所定記録動作間隔における記録時間を計測する第１計測手段と、
前記所定記録動作間隔において前記インクジェット記録ヘッドからインク吐出を生じさせて記録がなされる記録ドット数を計測する第２計測手段と、
前記第１及び第２計測手段によって夫々計測された記録時間と記録ドット数とに基づいて、単位時間当たりの記録ドット数を算出する算出手段と、
前記算出手段によって算出された単位時間当たりの記録ドット数に基づいて、前記吸引回復のタイミングを決定する決定手段と、
前記決定手段によって決定されたタイミングで前記吸引回復の動作を行うよう制御する制御手段とを有することを特徴とする記録装置。
【請求項１５】
前記記録装置に初めて電源が投入されてからの累積時間を計測する第３計測手段をさらに有し、
前記決定手段は、前記累積時間をさらに考慮して、前記吸引回復のタイミングを決定することを特徴とする請求項１４に記載の記録装置。
【請求項１６】
インクジェット記録ヘッドを用いて記録媒体に記録を行う記録装置であって、
前記インクジェット記録ヘッドの吸引回復を行う吸引回復手段と、
所定記録領域毎に前記記録ヘッドからインク吐出を生じさせて記録がなされる記録ドット数を計測する第１計測手段と、
前記第１計測手段によって計測された記録ドット数と前記所定記録領域に記録可能な総ドット数とに基づいて、単位記録領域当たりの記録ドット数を算出する算出手段と、
前記算出手段において算出された単位記録領域当たりの記録ドット数に基づいて、前記吸引回復のタイミングを決定する決定手段と、
前記決定手段によって決定されたタイミングで前記記録ヘッドの吸引回復を行うよう制御する制御手段とを有することを特徴とする記録装置。
【請求項１７】
前記記録装置に初めて電源が投入されてからの累積時間を計測する第２計測手段をさらに有し、
前記決定手段は、前記累積時間をさらに考慮して、前記吸引回復のタイミングを決定することを特徴とする請求項１６に記載の記録装置。
【請求項１８】
前記インクジェット記録ヘッドを往復走査する走査手段をさらに有し、
前記所定記録領域は、前記走査手段によって前記インクジェット記録ヘッドが１走査するときに記録がなされる領域であることを特徴とする請求項１６に記載の記録装置。